(57)【要約】【課題】縦見当粗調整を短時間で済ませることができ、しかもその作業が簡易で負荷を小さくすることができる圧胴加圧装置および縦見当粗調整方法を提供する。【解決手段】縦見当粗調整モードにおいては、脱口空気圧制御手段により脱口における空気圧が圧胴の自重をキャンセルする空気圧となるように制御が行なわれ、着口空気圧制御手段により着口における空気圧が大気圧となるように制御が行われるようにした圧胴加圧装置、および着位置において圧胴の加圧力を無くし、圧胴に巻付いたウェブが版胴から僅かに離れるか、またはウェブが版胴の表面を滑るようにした状態で縦見当の粗調整を行なうようにした縦見当粗調整方法。【選択図】  図１
2004284118.tif 000002
【特許請求の範囲】
【請求項１】
伝達機構を介して圧胴にピストンロッドが結合するエアシリンダーと、前記圧胴を脱位置とするときに空気を供給する前記エアシリンダーの脱口における空気圧を制御する脱口空気圧制御手段と、前記圧胴を着位置とするときに空気を供給する前記エアシリンダーの着口における空気圧を制御する着口空気圧制御手段とを具備し、
縦見当粗調整モードにおいては、前記脱口空気圧制御手段は前記脱口における空気圧が前記圧胴の自重をキャンセルする空気圧となるように制御を行い、前記着口空気圧制御手段は前記着口における空気圧が大気圧となるように制御を行なうことを特徴とする圧胴加圧装置。
【請求項２】
着位置において圧胴の加圧力を無くし、前記圧胴に巻付いたウェブが版胴から僅かに離れるか、または前記ウェブが前記版胴の表面を滑るようにした状態で縦見当の粗調整を行なうことを特徴とする縦見当粗調整方法。
【発明の詳細な説明】
【０００１】
【発明の属する技術分野】
本発明は印刷の技術分野に属する。特に、印刷機における圧胴加圧装置と縦見当粗調整方法に関する。
【０００２】
【従来技術】
グラビア印刷機等において、印刷品目を切替えるときには初期見当合せが行なわれる。初期見当合せは、見当誤差を自動見当合せ装置が正常動作できる範囲内とするための見当粗調整である。初期見当合せには、通常、手動またはプリセットシステムによりコンペンセータローラの位置を調節する縦見当粗調整過程が含まれている。
【０００３】
【発明が解決しようとする課題】
このとき、すべての印刷ユニットにおける圧胴を着状態とするとコンペンセータローラの位置調節にともなうテンション変動が大きく、その収束に相当の時間を要し効率的でない。また、コンペンセータローラの動作速度を遅くすると、テンション変動を小さくすることができるが、やはり縦見当粗調整のために相当の時間を要し効率的でない。
【０００４】
そこで、縦見当粗調整を行なう印刷ユニットや、その下流の印刷ユニットの圧胴を脱状態としてテンションを素早く均一化するような作業が行なわれている。これによりテンションは素早く均一化するものの、この脱状態においては圧胴の位置が印刷時の位置とは異なっているため印刷見当のモニターはできなくなる。すなわち、この作業は圧胴の着状態と脱状態を繰り返し、縦見当を追い込む作業となり極めて煩雑であり熟練を要する。
【０００５】
本発明はこのような課題を解決するためになされたものであり、その目的は、縦見当粗調整を短時間で済ませることができ、しかもその作業が簡易で負荷を小さくすることができる圧胴加圧装置および縦見当粗調整方法を提供することにある。
【０００６】
【課題を解決するための手段】
上記課題は下記の本発明によって解決される。すなわち、
本発明の請求項１に係る圧胴加圧装置は、伝達機構を介して圧胴にピストンロッドが結合するエアシリンダーと、前記圧胴を脱位置とするときに空気を供給する前記エアシリンダーの脱口における空気圧を制御する脱口空気圧制御手段と、前記圧胴を着位置とするときに空気を供給する前記エアシリンダーの着口における空気圧を制御する着口空気圧制御手段とを具備し、縦見当粗調整モードにおいては、前記脱口空気圧制御手段は前記脱口における空気圧が前記圧胴の自重をキャンセルする空気圧となるように制御を行い、前記着口空気圧制御手段は前記着口における空気圧が大気圧となるように制御を行なうようにしたものである。
【０００７】
本発明によれば、縦見当粗調整モードにおいては、脱口空気圧制御手段により脱口における空気圧が圧胴の自重をキャンセルする空気圧となるように制御が行われ、着口空気圧制御手段により着口における空気圧が大気圧となるように制御が行なわれる。すなわち、圧胴の自重がキャンセルされ、印圧が掛からなくなり、圧胴に巻付いたウェブが自由となってテンションが素早く均一化する。しかも圧胴の位置は着位置のままである。したがって、縦見当粗調整を短時間で済ませることができ、しかもその作業が簡易で負荷を小さくすることができる圧胴加圧装置が提供される。
【０００８】
また本発明の請求項２に係る縦見当粗調整方法は、着位置において圧胴の加圧力を無くし、前記圧胴に巻付いたウェブが版胴から僅かに離れるか、または前記ウェブが前記版胴の表面を滑るようにした状態で縦見当の粗調整を行なうことを特徴とする縦見当粗調整方法。本発明によれば、圧胴は版胴から僅かに離されるか、ウェブが版胴の表面を滑るようにした状態となり、圧胴に巻付いたウェブのテンションが素早く均一化する。しかも圧胴の位置はほとんど着位置のままである。したがって、縦見当粗調整を短時間で済ませることができ、しかもその作業が簡易で負荷を小さくすることができる縦見当粗調整方法が提供される。
【０００９】
【発明の実施の形態】
次に、本発明について実施の形態を説明する。本発明の圧胴加圧装置における構成の一例について説明図を図１、図２に示す。図１は圧胴加圧装置における見当粗調整を行なうときの構成と状態を示し、図２は圧胴加圧装置における印刷を行なうときの構成と状態を示す。図１、図２において、１０はエアーシリンダー、１１はピストンロッド、１２は着口、１３は脱口、２０は着口制御弁、３０は印圧用圧力調節器、４０は自重キャンセル用圧力調節器、５０は着脱制御弁である。
【００１０】
エアーシリンダー１０は、圧胴（図示せず）を版胴（図示せず）に着脱させるためのアクチュエータである。通常は、一対のシリンダーであって、圧胴を左右の軸において回転自在に支持する左右の支持体の各々を伝達機構を介して作動させる。一対のシリンダーの各々は同様の構成であるから、ここでは、区別しないで説明する。
【００１１】
エアーシリンダー１０は、ピストンロッド１１、着口１２、脱口１３を有する。ピストンロッド１１は、伝達機構を介して圧胴に結合しており、ピストンロッド１１の伸縮動作により圧胴は位置を変え、その一方の位置が版胴に接触する着位置であり、他方の位置が版胴から離れる脱位置である。図１、図２に示す一例おいては、ピストンロッド１１が伸びたときに圧胴は着位置となり、ピストンロッド１１が縮んだときに圧胴は脱位置となる。
【００１２】
ピストンロッド１１の伸縮は、着口１２と脱口１３に加圧空気を供給するときの供給の態様による。すなわち、ピストンロッド１１に外部からの力が作用しない条件下において、着口１２の空気圧が脱口１３の空気圧よりも大きいときにはピストンロッド１１は伸びる。一方、脱口１３の空気圧が着口１２の空気圧よりも大きいときにはピストンロッド１１は縮む。また、ピストンロッド１１に外部からの力が作用している条件下においては、その外部からの力と、空気圧の差によりピストンロッド１１（ピストン）に作用する力とのバランスにより伸縮動作が決まる。
【００１３】
着口制御弁２０は、着口１２への加圧空気の供給経路を開閉する弁である。着口制御弁２０は、コンペンセータ（図示せず）を操作する信号（移動信号）を入力し弁の開閉を行なう。コンペンセータが移動しているときには、弁は閉じられ、コンペンセータが停止しているときには弁は開かれる。図１に示すように、この弁が閉じられているときには、エアーシリンダー１０の着口１２の側に供給された加圧空気は、着口リリーフ弁によって大気に開放される。すなわち、着口１２の空気圧は大気圧となる。
【００１４】
印圧用圧力調節器３０は、着口制御弁２０への加圧空気の供給経路に設けられ、その（２次側の）加圧空気の圧力を調節する圧力調節器である。印圧用圧力調節器３０は、圧設定ダイアルと圧力計を有し、圧力計が指示する圧力をモニターしながら、圧設定ダイアルを回して、所望の圧力となるように設定する。ここで設定した圧力と、圧胴と版胴との間に作用する印圧とは１対１の関係が成立する。
【００１５】
自重キャンセル用圧力調節器４０は、エアーシリンダー１０の脱口１３への加圧空気の供給経路に設けられ、その（２次側の）加圧空気の圧力を調節する圧力調節器である。自重キャンセル用圧力調節器４０は、圧設定ダイアルと圧力計を有し、圧力計が指示する圧力をモニターしながら、圧設定ダイアルを回して、所望の圧力となるように設定する。ここで設定する圧力は、圧胴の自重をキャンセルする圧力である。すなわち、図１に示すように、エアーシリンダー１０の着口１２の側に供給された加圧空気が着口リリーフ弁によって大気に開放され、着口１２の空気圧が大気圧となっているときに、印圧がゼロまたはゼロに近い値となる圧力である。
【００１６】
この（２次側の）加圧空気の圧力が、自重キャンセル用圧力調節器４０において設定した圧力を超えることがある。たとえば、ピストンロッド１１が伸びるときには、エアーシリンダー１０の脱口１３の側に供給された加圧空気はさらに圧縮され設定した圧力を超えることとなる。そのようなときには、図１に示すように、脱口１３に側に供給された加圧空気は、脱口リリーフ弁によって大気に開放される。すなわち、脱口１３の空気圧は設定した圧力に維持される。図１に示す一例では、自重キャンセル用圧力調節器４０は、脱口リリーフ弁を有する圧力調節器となっている。
【００１７】
着脱制御弁５０は、圧胴の着脱指令信号を入力して、印圧用圧力調節器３０や自重キャンセル用圧力調節器４０への１次側の加圧空気の供給を操作する制御弁である。着脱制御弁５０は、１つの複雑な構成の制御弁である必要はなく、複数の制御弁の組合せによって構成することができる。エアーシリンダー１０のピストンロッド１１を伸ばして圧胴を着位置とするときには、着脱制御弁５０は印圧用圧力調節器３０と自重キャンセル用圧力調節器４０に加圧空気を供給するように制御弁を操作する。
【００１８】
逆に、エアーシリンダー１０のピストンロッド１１を縮めて圧胴を脱位置とするときには、着脱制御弁５０は、印圧用圧力調節器３０と自重キャンセル用圧力調節器４０への加圧空気を停止するように制御弁を操作する。そして、直接的または脱圧用圧力調節器（図示せず）を介してエアーシリンダー１０の脱口１３に加圧空気を供給する。脱圧用圧力調節器は、圧胴を脱位置とするときの空気圧を調節する圧力調節器である。
【００１９】
以上、構成について説明した。次に、本発明の圧胴加圧装置における動作について説明する。この圧胴加圧装置の動作には、すくなくとも圧胴着モード、縦見当粗調整モード、圧胴脱モードの３つのモードが存在する。ここで説明する圧胴加圧装置の一例においては、圧胴着モードと圧胴脱モードの間で相互に移行することができる。また、圧胴着モードと縦見当粗調整モードの間で相互に移行することができる。
【００２０】
圧胴着モード（図２参照）において、圧胴着指令を入力した着脱制御弁５０は、印圧用圧力調節器３０と自重キャンセル用圧力調節器４０に加圧空気を供給するように制御弁を操作する。
印圧用圧力調節器３０は、その（１次側の）加圧空気の供給を受けて、圧力を制御した（２次側の）加圧空気を生成し着口制御弁２０へ供給する。その（２次側の）加圧空気の圧力は、所望の印圧が得られるように設定された圧力である。
着口制御弁２０は、図２に示すようにコンペン移動信号の入力が無いときには、その弁を開いている。したがって、着口制御弁２０へ供給された加圧空気は、そのままエアーシリンダー１０の着口１２に供給される。
【００２１】
自重キャンセル用圧力調節器４０は、その（１次側の）加圧空気の供給を受けて、圧力を制御した（２次側の）加圧空気を生成しエアーシリンダー１０の脱口１３へ供給する。その（２次側の）加圧空気の圧力は、圧胴の自重をキャンセルするように設定された圧力である。
エアーシリンダー１０において、脱口１３の側の圧力によってピストンロッド１１に作用する力は、圧胴の自重によってピストンロッド１１に作用する力と向きが反対で大きさが等しく均衡している。したがって、着口１２の側の圧力によってピストンロッド１１に作用する力により、ピストンロッド１１は伸ばされた状態となり圧胴は着位置となる。
【００２２】
この圧胴着モードにおいて、コンペン移動信号を着口制御弁２０が入力すると圧胴加圧装置は圧胴着モードから縦見当粗調整モード（図１参照）に移行する。縦見当粗調整モードにおいて、コンペン移動信号入力した着口制御弁２０は弁を閉じ、エアーシリンダー１０の着口１２への加圧空気の供給を停止する。このとき、図１に示すように、エアーシリンダー１０の着口１２の側に供給された加圧空気は、着口リリーフ弁によって大気に開放される。すなわち、着口１２の空気圧は大気圧となる。
【００２３】
エアーシリンダー１０において、脱口１３の側の圧力によってピストンロッド１１に作用する力は、圧胴の自重によってピストンロッド１１に作用する力と向きが反対で大きさが等しく均衡している。一方、着口１２の側の圧力は大気圧である。したがって、圧胴が着位置のままで印圧が掛からなくなり、圧胴に巻付いたウェブが自由となって、コンペン移動にともなうテンションが素早く均一化する。
【００２４】
この縦見当粗調整モードにおいて、着口制御弁２０へのコンペン移動信号の入力がなくなると圧胴加圧装置は縦見当粗調整モードから圧胴着モードに移行する。圧胴着モードは前述のとおりであるから、説明の繰り返しは省略する。
【００２５】
この圧胴着モードにおいて、着脱制御弁５０への圧胴着指令信号の入力がなくなると圧胴加圧装置は圧胴着モードから圧胴脱モードに移行する。圧胴脱モード（図示せず）において、着脱制御弁５０は、印圧用圧力調節器３０と自重キャンセル用圧力調節器４０への加圧空気を停止するように制御弁を操作する。そして、直接的または脱圧用圧力制御弁（図示せず）を介してエアーシリンダー１０の脱口１３に加圧空気を供給する。これによって、エアーシリンダー１０のピストンロッド１１が縮られ圧胴は脱位置となる。
【００２６】
この圧胴脱モードにおいて、着脱制御弁５０へ圧胴着指令信号が入力すると圧胴加圧装置は圧胴脱モードから圧胴着モードに移行する。圧胴着モードは前述のとおりであるから、説明の繰り返しは省略する。
【００２７】
次に、上述の圧胴加圧装置を使用したときの縦見当粗調整方法について説明する。本発明の縦見当調整方法は、圧胴加圧装置を上述の縦見当粗調整モードとして縦見当調整を行なう方法である。すなわち、着位置において圧胴の加圧力を無くし、圧胴に巻付いたウェブが版胴から僅かに離れるか、またはウェブが版胴の表面を滑るようにした状態で縦見当の粗調整を行なう。
【００２８】
本発明の縦見当調整方法における、具体的な手順は以下のとおりである。
まず、圧胴加圧装置を圧胴着モードとして印刷条件出しのための印刷を開始する。そして、印刷物において印刷ユニット間の見当ずれ量を計測しておく。次に、圧胴加圧装置を縦見当粗調整モードとして、見当ずれ量を補正するようにコンペンセータローラを操作する。
この計測と補正を繰り返し、上流の印刷ユニットから下流の印刷ユニットへと順番に行う。
【００２９】
以上、本発明について空圧を利用する実施の形態により説明を行ったが、前述において空圧を制御したように油圧を制御しても同様の圧胴加圧装置を実現することができる。また、油圧を利用するときには、油の供給量を制御すると好適である。すなわち、縦見当粗調整モードにおいては、圧胴の着状態から油圧シリンダーの脱口に所定量の油だけを供給するように構成する。この所定量とは、圧胴を僅かに版胴から離れる状態にする量のことである。
【００３０】
【発明の効果】
以上の通りであるから、本発明の請求項１に係る圧胴加圧装置によれば、縦見当粗調整を短時間で済ませることができ、しかもその作業が簡易で負荷を小さくすることができる圧胴加圧装置が提供される。
また本発明の請求項２に係る縦見当粗調整方法によれば、縦見当粗調整を短時間で済ませることができ、しかもその作業が簡易で負荷を小さくすることができる縦見当粗調整方法が提供される。
【図面の簡単な説明】
【図１】本発明の圧胴加圧装置における見当粗調整を行なうときの構成と状態を示す図である。
【図２】本発明の圧胴加圧装置における印刷を行なうときの構成と状態を示す図である。
【符号の説明】
１０  エアーシリンダー
１１  ピストンロッド
１２  着口
１３  脱口
２０  着口制御弁
３０  印圧用圧力調節器
４０  自重キャンセル用圧力調節器
５０  着脱制御弁
【図１】
2004284118.tif 000003
【図２】
2004284118.tif 000004